(57)【要約】【課題】淡炎口寸法の安定化を図るとともに、部品点数を減らして、コストを低減させた濃淡燃焼バーナを提供すること。【解決手段】燃料ガスと燃焼用空気とを混合した空気比の高い混合気が噴出される淡炎口１８を形成する淡バーナユニット１２と、その淡炎口１８の両側に配置されて空気比の低い混合気が噴出される濃炎口２０を形成する濃バーナユニット１４とを有し、淡バーナユニット１２の淡炎口１８に、前記空気比の高い混合気を噴出させる複数の貫通孔３８を穿設した炎口ユニット１６を設けた濃淡燃焼バーナ１０とする。この炎口ユニット１６は、所定の厚みを有する板金で形成されたものや、鋳造品、ダイカスト品などを例示することができる。【選択図】  図１
2007163043.tif 000002
【特許請求の範囲】
【請求項１】
燃料ガスと燃焼用空気とを混合した空気比の高い混合気が噴出される淡炎口を形成する淡バーナユニットと、その淡炎口の両側に配置されて空気比の低い混合気が噴出される濃炎口を形成する濃バーナユニットとを有する濃淡燃焼バーナにおいて、前記淡バーナユニットの淡炎口に、前記空気比の高い混合気を噴出させる複数の貫通孔を穿設した炎口ユニットを設けることを特徴とする濃淡燃焼バーナ。
【請求項２】
前記炎口ユニットは、所定の厚みを有し、混合気の噴出方向と直交して配される板金により形成され、その板金に前記貫通孔が穿設形成されていることを特徴とする請求項１に記載の濃淡燃焼バーナ。
【請求項３】
前記炎口ユニットは、前記淡バーナユニットの淡炎口の幅方向の中央位置にこの炎口ユニットを幅方向に２分割する仕切部を備え、この仕切部により仕切られた分割炎口ユニットにそれぞれ前記貫通孔が穿設形成されていることを特徴とする請求項２に記載の濃淡燃焼バーナ。
【請求項４】
前記炎口ユニットは、寸法設計された鋳型を用いて合金等の金属を鋳造して得た所定の厚みを有する鋳造品または寸法設計された金型に合金等の金属を射出成形して得られた所定の厚みを有するダイカスト品であることを特徴とする請求項１に記載の濃淡燃焼バーナ。
【請求項５】
前記貫通孔は、角形および／または丸形の形状を有することを特徴とする請求項１から４のいずれかに記載の濃淡燃焼バーナ。
【発明の詳細な説明】
【技術分野】
【０００１】
本発明は、濃淡燃焼バーナに関し、さらに詳しくは、燃料ガスと燃焼用空気とを混合した空気比の高い混合気と空気比の低い混合気とを同時に燃焼させて、燃焼ガスの低ＮＯｘ化を図る濃淡燃焼バーナに関するものである。
【背景技術】
【０００２】
従来、ガスバーナの燃焼によって発生する燃焼ガスの低ＮＯｘ化を図る目的で、濃淡燃焼が行われている。濃淡燃焼とは、ガスバーナに設けられた複数の燃料噴出口のうちのいくつかで、燃料ガスと燃焼用空気とを混合した空気比の高い混合気を燃焼させ、同時に、その他で、空気比の低い混合気を燃焼させる燃焼方法をいう。この濃淡燃焼には、濃淡燃焼バーナが好適に用いられている。
【０００３】
濃淡燃焼バーナは、例えば、特許文献１に示されるように、合わせられた状態で淡ガス入口とガス通路とが形成されるようにプレス加工された２枚の板金の上部に、挟持固定される格好で、複数のスリット炎口を有する炎口ユニットが配置された淡バーナユニットを備えている。
【０００４】
また、折り曲げ合わされた状態で濃ガス入口とガス通路とが形成されるようにプレス加工された１枚の板金の、その折り曲げ合わされた状態での上端に連結片を残し、上方を開口させた形状の濃バーナユニットを備えている。そして、この濃バーナユニットが、淡バーナユニットの上部に、両側から挟み込む格好で組付け固定されている。この組付け状態において、淡バーナユニットの両側に濃ガス入口とガス通路とが形成され、淡炎口の両側に濃炎口が形成されるように、両者が一体に組付けされている。
【０００５】
この濃淡燃焼バーナは、空気比の高い混合気が淡炎口に供給され、空気比の低い混合気が濃炎口に供給されて、両混合気を同時に燃焼させている。すなわち、淡炎口から噴出される淡火炎は、燃料ガスが希薄な燃焼のため、火炎温度が低下して、ＮＯｘの生成を抑制することができる。ところが、この淡火炎は、空気比が高いことから、リフトしやすい。そのため、淡火炎を安定化させる（保炎する）目的で、淡炎口の両側に濃炎口を配置し、濃火炎を形成させている。この濃火炎は、淡炎口から噴出される淡火炎との間で拡散混合されて、淡火炎を安定化させる。
【０００６】
ここで、淡炎口には、燃焼用空気が多く供給されるため、淡炎口に供給される風量は多くなっている。この風量が多くなると、淡炎口で流れの乱れが発生しやすくなり、火炎が安定しなくなる。そのため、このような流れの乱れを作らないように、淡炎口に供給される混合気の整流化が図られている。
【０００７】
図５によって、濃淡燃焼バーナにおける淡炎口を構成する炎口ユニットの構造の一例を示しながら、淡炎口に供給される混合気の整流化について説明する。淡炎口の炎口ユニット６２は、中央に位置する芯板６４と、芯板６４の両側に配置される一対の第１仕切板６６、６６と、さらにその両外側に配置される一対の第２仕切板６８、６８とで構成される。これらは、高さと長さとが同じとなる板金からなり、これらの各板を、上端縁が一致するように高さを揃えた状態で、長さ方向の両端縁でスポット溶接されて一体化されている。
【０００８】
つまり、この炎口ユニット６２は、複数の板金が、淡炎口への混合気の供給方向に沿って並べられ、これら複数の板金どうしの間隙により炎口（淡炎口）７０、７０・・・を形成している。これら複数の板金は、混合気の供給上流側に伸びており、その供給上流側から混合気を整流化させるものとなっている。
【０００９】
そして、この炎口ユニット６２の外側には燃料ガスと燃焼用空気とを混合した空気比の低い混合気が供給される濃炎口７２、７２が配設され、この濃炎口７２、７２より噴出される濃火炎と前記淡炎口７０、７０・・・より噴出される淡火炎との間の拡散混合が起こり、これによって、淡炎口７０、７０・・・から噴出される淡火炎の安定化が図られている。
【００１０】
【特許文献１】特開２００４−３０８９４５号公報
【発明の開示】
【発明が解決しようとする課題】
【００１１】
しかしながら、特許文献１に示されるように、従来の濃淡燃焼バーナ６０は、淡炎口７０への混合気の供給方向に沿って複数の板金を並べ、これらの板金をスポット溶接して一体化することにより炎口ユニット６２を形成している。そして、この炎口ユニット６２の板金どうしの間隙により淡炎口７０を形成していることから、板金の並べ方やスポット溶接の影響などにより、その淡炎口７０の寸法が安定しないという問題があった。そして、淡炎口７０に供給される混合気の流れに乱れが生じやすくなっていた。
【００１２】
また、複数の板金を並べて炎口ユニット６２を形成しているため、部品点数が多くなり、コストが嵩むという問題があった。
【００１３】
本発明が解決しようとする課題は、淡炎口寸法の安定化を図るとともに、部品点数を減らして、コストを低減させた濃淡燃焼バーナを提供することにある。
【課題を解決するための手段】
【００１４】
上記課題を解決するために本発明に係る濃淡燃焼バーナは、燃料ガスと燃焼用空気とを混合した空気比の高い混合気が噴出される淡炎口を形成する淡バーナユニットと、その淡炎口の両側に配置されて空気比の低い混合気が噴出される濃炎口を形成する濃バーナユニットとを有する濃淡燃焼バーナにおいて、前記淡バーナユニットの淡炎口に、前記空気比の高い混合気を噴出させる複数の貫通孔を穿設した炎口ユニットを設けることを要旨とする。
【００１５】
この場合、前記炎口ユニットは、所定の厚みを有し、混合気の噴出方向と直交して配される板金により形成され、その板金に前記貫通孔が穿設形成されていることが望ましい。このとき、前記炎口ユニットは、前記淡バーナユニットの淡炎口の幅方向の中央位置にこの炎口ユニットを幅方向に２分割する仕切部を備え、この仕切部により仕切られた分割炎口ユニットにそれぞれ前記貫通孔が穿設形成されているものであっても良い。
【００１６】
また、前記炎口ユニットは、寸法設計された鋳型を用いて合金等の金属を鋳造して得た所定の厚みを有する鋳造品または寸法設計された金型に合金等の金属を射出成形して得られた所定の厚みを有するダイカスト品であることが望ましい。
【００１７】
そして、前記貫通孔は、角形および／または丸形の形状を有することが望ましい。
【発明の効果】
【００１８】
本発明に係る濃淡燃焼バーナによれば、空気比の高い混合気を噴出させる複数の貫通孔を穿設した炎口ユニットを淡バーナユニットの淡炎口に設けたことから、淡炎口寸法を一定にすることができる。これによって、淡炎口寸法を安定化させることができる。
【００１９】
また、複数の板金を用いることなく、複数の貫通孔を穿設した炎口ユニットを淡炎口に設けるものなので、部品点数を減らして、コスト低減を図ることができる。
【００２０】
この場合、上記炎口ユニットが、所定の厚みを有し、混合気の噴出方向と直交して配される板金により形成されると、安価で簡単な材料により淡炎口寸法を安定化でき、また、部品点数も減らすことができる。このとき、淡バーナユニットの淡炎口の幅方向の中央位置にこの炎口ユニットを幅方向に２分割する仕切部を備えていると、供給された混合気を供給上流側から分けるため、この淡炎口に供給される混合気の整流化にさらに寄与するものとすることができる。
【００２１】
また、上記炎口ユニットを、寸法設計された鋳型を用いて合金等の金属を鋳造して得た所定の厚みを有する鋳造品または寸法設計された金型に合金等の金属を射出成形して得られた所定の厚みを有するダイカスト品とすると、寸法精度良く貫通孔を形成することができるとともに、この炎口ユニットを大量生産可能にすることができる。
【００２２】
さらに、上記貫通孔が、角形または丸形の形状であれば、これらは簡単形状なので、例えば、プレス加工や鋳型等により寸法精度良く簡単に形成することができる。この場合、角形と丸形とを組み合わせると、炎口ユニットの貫通面積を大きくすることができる。
【発明を実施するための最良の形態】
【００２３】
次に、本発明の実施の形態について、図面を参照して詳細に説明する。図１は、本発明に係る濃淡燃焼バーナの第一実施形態を表す分解斜視図である。また、図２は、図１に示す濃淡燃焼バーナの平面図（ａ）とそのＡ−Ａ断面拡大図（ｂ）である。図３は、第二実施形態に係る濃淡燃焼バーナの平面図（ａ）とそのＢ−Ｂ断面拡大図（ｂ）及びＣ−Ｃ断面拡大図（ｃ）である。図４は、第三実施形態に係る濃淡燃焼バーナの平面図（ａ）とそのＤ−Ｄ断面拡大図（ｂ）及びＥ−Ｅ断面拡大図（ｃ）である。
【００２４】
図１に示されるように、第一実施形態に係る濃淡燃焼バーナ１０は、燃料ガスと燃焼用空気とを混合した空気比の高い混合気が噴出される淡炎口１８を形成する淡バーナユニット１２と、空気比の低い混合気が噴出される濃炎口２０を形成する濃バーナユニット１４と、この淡バーナユニット１２の淡炎口１８に、この淡炎口１８を覆うように設置される炎口ユニット１６とで構成されている。
【００２５】
ここで、空気比とは、淡炎口または濃炎口より噴出される混合気の燃料ガスと燃焼用空気との比率をいい、燃料ガスに対する燃焼用空気の割合（＝燃焼用空気／燃料ガス）をいう。空気比が高いとは、通常、空気比が１．０以上のときであり、燃料が希薄な状態を指すが、濃炎口より噴出される混合気の空気比が１．０以上であっても良い。この場合には、相対的に、淡炎口より噴出される混合気の空気比が、濃炎口より噴出される混合気の空気比よりも高ければ良い。また、燃料を完全に燃焼させるために最低必要な空気量（理論空気量）よりも多い量の空気を混合するときを、空気比が高いとすることもできる。
【００２６】
淡バーナユニット１２の淡炎口１８に炎口ユニット１６を設置し、これらの上部に濃バーナユニット１４を配置し、この濃バーナユニット１４により淡バーナユニット１２と炎口ユニット１６とを挟み込んで、これらをスポット溶接等することにより、これらが一体に組付けられている。
【００２７】
淡バーナユニット１２は、プレス加工された２枚の板金２２、２２からなる。この２枚の板金２２、２２を組み合わせると、この２枚の板金２２、２２に形成された凹凸によって、下側側縁に略長円形の淡ガス入口２４が開口形成され、上側端縁に淡炎口１８が開口形成される。
【００２８】
淡ガス入口２４と淡炎口１８との間には、Ｕ字状のガス通路２６が横向きに形成され、下端を淡ガス入口２４に、上端を淡炎口１８にそれぞれ接続させている。ガス通路２６と淡炎口１８との接続部分は、上方へ行く程長手方向の寸法が長くなるテーパ状の均圧室２８に形成されて、ガス通路２６の上端から淡炎口１８全体への混合気の供給を図っている。
【００２９】
そして、この２枚の板金２２、２２の上側端縁に形成された淡炎口１８に、この２枚の板金２２、２２で挟持される状態で、炎口ユニット１６が内接されている。この炎口ユニット１６は、淡炎口１８に、スポット溶接等により固定されている。
【００３０】
濃バーナユニット１４は、上方が開口され上端に複数の連結片３０を有する板金３２がプレス加工されたものからなる。炎口ユニット１６を固定した淡バーナユニット１２を両外側から挟み込んで組付けると、この板金３２に形成された凹凸によって、濃バーナユニット１４の下側側縁かつ淡ガス入口２４の上方位置に濃ガス入口３４が開口形成される。この濃ガス入口３４は、開口正面（図１の矢印Ｘ方向）から見て略円形形状を呈しており、淡バーナユニット１２の板金２２、２２により区画された状態にある。また、上側端縁に、淡バーナユニット１２との間で、濃炎口２０が開口形成される。この濃炎口２０は、連結片３０により長手方向で４分割されている。濃ガス入口３４と濃炎口２０との間にはガス通路３６が形成され、下端を濃ガス入口３４に、上端を濃炎口２０にそれぞれ接続させている。
【００３１】
炎口ユニット１６は、淡バーナユニット１２や濃バーナユニット１４と同じ材質の板金からなるものであれば良い。図２（ａ）に示されるように、炎口ユニット１６は、淡バーナユニット１２の淡炎口に配置されており、幅方向に長辺を有する略長方形の角形となる貫通孔３８、３８・・・がその長手方向に複数列設されている。
【００３２】
そして、貫通孔３８が形成された位置における幅方向の断面をみてみると、Ａ−Ａ断面拡大図（図２（ｂ））に示されるように、炎口ユニット１６は、淡炎口１８を覆うように配置された板金が、淡炎口１８の幅より両端を折り曲げ加工されたものであり、幅方向の断面形状が略コ字状になっている。この略コ字状に形成された板金の両端の折り曲げたところを、スポット溶接等により淡炎口１８に内接させている。淡炎口１８を覆っている面には、淡炎口１８の幅方向をほぼ穿孔する貫通孔３８が設けられている。
【００３３】
次に、第二実施形態について説明する。濃淡燃焼バーナ４０の淡バーナユニット１２と濃バーナユニット１４は、第一実施形態に係る濃淡燃焼バーナ１０と同じものであるため、これらの説明を省略し、その炎口ユニットについて説明する。図３（ａ）に示されるように、炎口ユニット４２は、淡バーナユニット１２の淡炎口に配置されており、幅方向に長辺を有する略長方形の角形となる貫通孔４４、４４・・・が炎口ユニット４２の長手方向に複数列設されている。この角形の貫通孔４４と貫通孔４４との間には、丸形の貫通孔４６、４６・・・が幅方向に４つ並べられ、これらが炎口ユニット４２の長手方向に複数列設されている。
【００３４】
そして、角形の貫通孔４４が形成された位置における幅方向の断面をみてみると、Ｂ−Ｂ断面拡大図（図３（ｂ））に示されるように、炎口ユニット４２は、炎口ユニット１６と同様、淡炎口１８を覆うように配置され、幅方向の断面形状が略コ字状に形成された板金からなっている。淡炎口１８を覆っている面には、淡炎口１８の幅方向をほぼ穿孔する貫通孔４４が設けられている。
【００３５】
また、丸形の貫通孔４６が形成された位置における幅方向の断面をみてみると、Ｃ−Ｃ断面拡大図（図３（ｃ））に示されるように、淡炎口１８を覆っている面の幅方向に、同じ大きさの丸形の貫通孔４６、４６・・・が等間隔に４つ並ぶように設けられている。
【００３６】
次に、第三実施形態について説明する。濃淡燃焼バーナ４８の淡バーナユニット１２と濃バーナユニット１４は、第一実施形態に係る濃淡燃焼バーナ１０と同じものであるため、これらの説明を省略し、その炎口ユニットについて説明する。図４（ａ）に示されるように、炎口ユニット５０は、幅方向の中央位置で分割された分割炎口ユニット５２、５２からなる。これら分割炎口ユニット５２、５２のそれぞれには、幅方向に長辺を有する略長方形の角形となる貫通孔５４、５４・・・が分割炎口ユニット５２の長手方向に複数列設され、この角形の貫通孔５４と角形の貫通孔５４との間には、丸形の貫通孔５６、５６が幅方向に２つ並べられ、これらが分割炎口ユニット５２の長手方向に複数列設されている。
【００３７】
そして、角形の貫通孔５４が形成された位置における幅方向の断面をみてみると、Ｄ−Ｄ断面拡大図（図４（ｂ））に示されるように、分割炎口ユニット５２、５２は、炎口ユニット１６と同様、板金からなり、淡炎口１８を覆うように配置されている。分割炎口ユニット５２、５２は、それぞれその一端が長くなるように板金の両端が折り曲げ加工され、淡炎口１８の幅方向の中央位置で接合されたものとなっている。
【００３８】
その長くなっている一端は、淡バーナユニット１２の淡炎口１８の幅方向の中央位置にこの淡炎口１８を幅方向に２分割する仕切部５８、５８となっている。この仕切部５８の長さは、特に限定されるものではない。分割炎口ユニット５２、５２の淡炎口１８を覆っている面には、幅方向に長辺を有する略長方形の角形の貫通孔５４がそれぞれ穿設されている。
【００３９】
また、丸形の貫通孔５６が形成された位置における幅方向の断面をみてみると、Ｅ−Ｅ断面拡大図（図４（ｃ））に示されるように、分割炎口ユニット５２、５２の淡炎口１８を覆っている面には、丸形の貫通孔５６、５６が淡炎口１８の幅方向に２つ並ぶようにそれぞれ穿設されている。
【００４０】
上記第一実施形態から第三実施形態に係る炎口ユニットには、プレス加工等によって、簡単に、寸法精度良く、所定寸法で貫通孔を穿設させることができる。
【００４１】
さらに、他の実施形態として、炎口ユニットを所定の厚みを有する鋳造品やダイカスト品とすることもできる。鋳造品は、例えば、アルミ、亜鉛、マグネシウム、銅合金等の合金などの金属を溶融させ、寸法設計された鋳型に注入して鋳造することにより製造される。ダイカスト品は、これらの溶融金属を寸法設計された金型に流し込み、射出成形することにより製造される。このとき、鋳型や金型の内部に、寸法設計された円筒形および／または角形の突起部などを予め備えておくことにより、寸法精度高く、所定寸法で貫通孔を形成させることができる。
【００４２】
以上、本実施形態に係る濃淡燃焼バーナの炎口ユニットには、所定寸法を有する貫通孔が複数設けられているが、その寸法（例えば、縦幅や横幅、内径など）は、特に限定されるものではない。また、貫通孔を穿設する数も、特に限定されるものではない。貫通孔の形状は、角形のみ、丸形のみ、あるいは角形と丸形とを組み合わせたものとすることができるが、これらの形状に限定されるものではない。その組み合わせにおいて、角形と丸形とを交互に配置するものに限られることはない。
【００４３】
また、本実施形態に係る濃淡燃焼バーナの炎口ユニットは、所定の厚みを有するものが良い。例えば、淡炎口１８に供給されてきた空気比の高い混合気を確実に整流化させるために、その板厚を０．５ｍｍ以上とすることが好ましい。
【００４４】
淡炎口１８に設置される炎口ユニットには、燃焼用空気が多く供給されるため、その風量は多くなっている。この風量が多くなると、供給された空気比の高い混合気に流れの乱れが発生しやすくなり、噴出される火炎が安定しなくなる。このような供給される混合気に流れの乱れを作らないように整流化するために、供給される空気比の高い混合気の風量と炎口ユニットの厚みとを考慮して、貫通孔の寸法や数を適宜定めることができる。また、このような、貫通孔を穿設する方法は、供給される空気比の高い混合気の風量条件等に合わせて寸法設定できるメリットがある。
【００４５】
そして、例えば、このように構成された濃淡燃焼バーナ１０においては、炎口ユニット１６が淡炎口１８に組付けされて、炎口ユニット１６の貫通孔３８によって淡炎口１８が一定寸法（貫通孔３８の寸法）とされる。一方、淡バーナユニット１２と濃バーナユニット１４とが組み付けされて、淡炎口１８の両側に濃炎口２０が形成される。
【００４６】
よって、この濃淡燃焼バーナ１０を図示しない取付枠に取付けて、取付枠に固定した図示しないノズル台から淡ガス入口２４および濃ガス入口３４へ燃料ガスを噴出させると、燃焼用空気とともに各々のガス入口２４、３４へ、空気比の高い混合気および空気比の低い混合気となって供給され、ガス通路２６、３６を通過し、各々貫通孔３８および濃炎口２０から噴出される。ここで、放電電極等の図示しない着火手段によって着火すると、貫通孔３８では淡火炎として、濃炎口２０では濃火炎として各々燃焼することになる。
【００４７】
この空気比が高く、風量の多い混合気は、炎口ユニット１６を通過する際、貫通孔３８によって流れが定められて（整流化されて）、上方へ噴出されることになる。
【００４８】
このような構成の濃淡燃焼バーナ１０によれば、空気比の高い混合気を噴出させる複数の貫通孔３８を所定寸法に穿設した炎口ユニット１６が淡バーナユニット１２の淡炎口１８に設けられていることから、この淡炎口１８を一定寸法にすることができる。これによって、淡炎口１８の寸法を安定化させることができる。このように、淡炎口１８の寸法が安定化されると、風量の多い混合気であっても、この炎口ユニット１６を通過する際、整流化され、噴出される燃焼火炎を安定化させることができる。
【００４９】
また、複数の板金を用いることなく、複数の貫通孔３８を穿設した炎口ユニット１６を淡炎口１８に設けるものなので、従来のものより部品点数を減らして、コスト低減を図ることができる。
【００５０】
そして、所定の厚みを有し、混合気の噴出方向と直交して配される板金により形成された炎口ユニット１６なので、安価で簡単な材料により淡炎口寸法を安定化でき、また、部品点数も減らすことができる。
【００５１】
また、濃淡燃焼バーナ４８によれば、この炎口ユニット５０が、淡炎口１８の幅方向の中央位置にこの炎口ユニット５０を幅方向に２分割する仕切部５８を備えていることから、供給された混合気を供給上流側から分けるため、この淡炎口１８に供給される混合気の整流化にさらに寄与するものとすることができる。
【００５２】
さらに、炎口ユニットを、寸法設計された鋳型を用いて合金等の金属を鋳造して得た所定の厚みを有する鋳造品または寸法設計された金型に合金等の金属を射出成形して得られた所定の厚みを有するダイカスト品とすると、寸法精度良く貫通孔を形成することができるとともに、この炎口ユニットを大量生産可能にすることができる。そして、例えば、略コ字状に設計された鋳型または金型を用いると、板金からなるものと比べて、その両端を折り曲げ加工等することが必要ない。
【００５３】
また、濃淡燃焼バーナ１０、４０、４８などによれば、貫通孔が、角形または丸形の簡単な形状なので、例えば、プレス加工や鋳型等により寸法精度良く簡単に貫通孔を形成することができる。角形と丸形とを組み合わせたものは、炎口ユニットの貫通面積を大きくすることができる。
【００５４】
以上、本発明の実施の形態について詳細に説明したが、本発明は上記実施の形態に何ら限定されるものではなく、本発明の要旨を逸脱しない範囲で種々の改変が可能である。
【００５５】
例えば、上記実施形態において、炎口ユニット１６などは、幅方向の断面形状が略コ字状に限られるものではない。要は、淡炎口１８を覆う部材であって、その淡炎口１８を覆う部材に所定寸法の貫通孔が複数穿設されていれば良い。
【００５６】
また、炎口ユニット１６は、板金１枚によって形成されているが、淡炎口１８を覆う方向に、所定寸法に穿設された貫通孔を複数有する板金をさらに１枚設けたものであっても良い。また、板金１枚から形成されている炎口ユニット１６に、淡炎口１８の幅方向の中央位置からこの炎口ユニット１６を幅方向に２分割する仕切部を設けたものであっても良い。
【産業上の利用可能性】
【００５７】
本発明に係る濃淡燃焼バーナは、給湯器などのガス燃焼機器の燃焼バーナに使用することができる。
【図面の簡単な説明】
【００５８】
【図１】本発明に係る濃淡燃焼バーナの第一実施形態を表す分解斜視図である。
【図２】第一実施形態に係る濃淡燃焼バーナの平面図（ａ）とそのＡ−Ａ断面図（ｂ）である。
【図３】第二実施形態に係る濃淡燃焼バーナの平面図（ａ）とそのＢ−Ｂ断面図（ｂ）及びＣ−Ｃ断面図（ｃ）である。
【図４】第三実施形態に係る濃淡燃焼バーナの平面図（ａ）とそのＤ−Ｄ断面図（ｂ）及びＥ−Ｅ断面図（ｃ）である。
【図５】従来の濃淡燃焼バーナの平面図（ａ）とそのＦ−Ｆ断面図（ｂ）である。
【符号の説明】
【００５９】
１０、４０、４８  濃淡燃焼バーナ
１２  淡バーナユニット
１４  濃バーナユニット
１６、４２、５０  炎口ユニット
１８  淡炎口
２０  濃炎口
３８、４４、４６、５４、５６  貫通孔
５８  仕切部
【図１】
2007163043.tif 000003
【図２】
2007163043.tif 000004
【図３】
2007163043.tif 000005
【図４】
2007163043.tif 000006
【図５】
2007163043.tif 000007